(57)【要約】【課題】周囲に散乱させることなく任意の歯間ブラシを確実に取り出すとともに、収納する。【解決手段】歯間ブラシＢの包装容器１は、左右の側面板１５，１６、背面板、底面板１１、正面板１３を備えた容器本体１０と、上面部２１、左右の側面部、底面部、背面部２２を備え、正面が開口されたスリーブ２０と、容器本体１０の底面部１１に配置され、複数の仕切り３２を有する仕切り部材３０と、から構成される。そして、容器本体１０の左右の側面板１５，１６と仕切り部材３０における左右外方の仕切り３２との間及び仕切り部材３０の隣接する仕切り３２間に歯間ブラシＢが配置され、スリーブ２０の正面側開口を通して容器本体１０が摺動自在に嵌挿される。【選択図】図１
0003171968.tif 000002
【実用新案登録請求の範囲】
【請求項１】
少なくとも左右の側面板、背面板、底面板、正面板を備えた容器本体と、上面部、左右の側面部、底面部、背面部を備え、正面が開口されたスリーブと、容器本体の底面部に配置され、複数の仕切りを有する仕切り部材と、から構成され、容器本体に配置された仕切り部材の仕切りに歯間ブラシが配置され、スリーブの正面側開口を通して容器本体が摺動自在に嵌挿されることを特徴とする歯間ブラシの包装容器。
【請求項２】
請求項１に記載の歯間ブラシの包装容器において、前記容器本体の正面板の上端縁に上面板が連設されるとともに、上面板に左右の外側面板が連設され、また、スリーブの上面部に左右の外側面部が連設され、容器本体における左右の外側面板の先端縁及びスリーブにおける左右の外側面部の前端縁が設定角度傾斜されて互いに突き合わされ、また、容器本体の底面板にスリーブの底面部の前端縁に対応して折り目が形成されるとともに、左右の側面板に底面板の折り目に対応する位置で前後に分割する切欠部が形成されることを特徴とする歯間ブラシの包装容器。
【請求項３】
請求項１又は２に記載の歯間ブラシの包装容器において、前記スリーブの上面部の前端縁に係止片が垂設され、容器本体の背面板を係止することを特徴とする歯間ブラシの包装容器。
【考案の詳細な説明】
【技術分野】
【０００１】
この考案は、歯間ブラシの包装容器に関するものである。
【背景技術】
【０００２】
近年、歯周病の予防のため、通常のブラッシングでは除去できない歯と歯の間や歯と歯肉の間に発生する汚れ（歯垢や食物残渣等）を清掃することが提案され、歯間ブラシとして実用されている。
【０００３】
このような歯間ブラシは、通常、設定本数、例えば、上下に５本ずつ並べた状態でブリスターパック方式で包装され、スーパーや薬局等において陳列され、販売されている。
【考案の概要】
【考案が解決しようとする課題】
【０００４】
ところで、前述したブリスターパックの歯間ブラシを購入した消費者が、歯間ブラシを使用するためには、ブリスターパックの台紙に形成された切り裂き目に沿って台紙を切り裂いて台紙を部分的にプラスチックシートから剥がす必要がある。この場合、台紙に形成された切り裂き目は、１本１本の歯間ブラシに対応して形成されていないことから、１本の歯間ブラシを取り出すためには、その取り出しに必要とする以上の大きさの取り出し口を切り裂くことになる。この結果、使用する１本以外の歯間ブラシが、台紙を切り裂いて形成された取り出し口を通して露出し、任意の歯間ブラシを取り出す際、その他の歯間ブラシが周囲に散乱するおそれがある。また、旅行等において、洗面バッグ等に台紙を切り裂いた状態のブリスターパックを収容して持ち運びするとき、部分的に切り裂かれた台紙は蓋としての機能をなさないことから、切り裂いた取り出し口を通して歯間ブラシが洗面バッグ内に散乱するものとなる。
【０００５】
本考案は、このような問題点に鑑みてなされたもので、周囲に散乱させることなく任意の歯間ブラシを確実に取り出すとともに、収納することのできる歯間ブラシの包装容器を提供するものである。
【課題を解決するための手段】
【０００６】
本考案は、少なくとも左右の側面板、背面板、底面板、正面板を備えた容器本体と、上面部、左右の側面部、底面部、背面部を備え、正面が開口されたスリーブと、容器本体の底面部に配置され、複数の仕切りを有する仕切り部材と、から構成され、容器本体に配置された仕切り部材の仕切りに歯間ブラシが配置され、スリーブの正面側開口を通して容器本体が摺動自在に嵌挿されることを特徴とするものである。
【０００７】
本考案によれば、スリーブに対して容器本体を引き出せば、容器本体に配置された仕切り部材の仕切りを利用して収容されている複数本の歯間ブラシが露出し、取り出し対象以外の歯間ブラシを収容した状態に保持しつつ任意の歯間ブラシを取り出して使用することができる。取り出しが終了すれば、スリーブに対して容器本体を押し込むことにより、仕切り部材によって仕切られた複数本の歯間ブラシを散乱させることなく収納することができ、旅行などにも持ち運びすることができる。
【０００８】
本考案において、前記容器本体の正面板の上端縁に上面板が連設されるとともに、上面板に左右の外側面板が連設され、また、スリーブの上面部に左右の外側面部が連設され、容器本体における左右の外側面板の先端縁及びスリーブにおける左右の外側面部の前端縁が設定角度傾斜されて互いに突き合わされ、また、容器本体の底面板にスリーブの底面部の前端縁に対応して折り目が形成されるとともに、左右の側面板に底面板の折り目に対応する位置で前後に分割する切欠部が形成されることが好ましい。これにより、容器本体をスリーブから引き出した際、折り目に沿って底面板の前端部分を下方に折り曲げることができることから、容易に歯間ブラシを取り出すことができる。また、スリーブに対して容器本体を押し込めば、容器本体における左右の外側面板の先端縁がスリーブにおける左右の外側面部の前端縁に突き合わされることから、底面板を折り目に沿って屈曲させることなく支持することができる。
【０００９】
本考案において、前記スリーブの上面部の前端縁に係止片が垂設され、容器本体の背面板を係止することが好ましい。これにより、スリーブに対する容器本体の抜け出しを規制することができる。
【考案の効果】
【００１０】
本考案によれば、周囲に散乱させることなく任意の歯間ブラシを確実に取り出すとともに、収納することができる。
【図面の簡単な説明】
【００１１】
【図１】本考案の歯間ブラシの包装容器の一実施形態を示す斜視図である。
【図２】図１の包装容器を構成する容器本体の展開図である。
【図３】図１の包装容器を構成するスリーブの展開図である。
【図４】図１の包装容器の容器本体をスリーブに収納した状態の縦断面図である。
【図５】図１の包装容器の容器本体をスリーブから引き出した状態の縦断面図である。
【図６】図１の包装容器の容器本体をスリーブに収納する直前の状態を一部省略して示す拡大側面図である。
【考案を実施するための形態】
【００１２】
以下、本考案の実施の形態を図面に基づいて説明する。
【００１３】
図１には、本考案の歯間ブラシの包装容器１の一実施形態が示されている。
【００１４】
この包装容器１は、容器本体１０と、容器本体１０を摺動自在に嵌挿するスリーブ２０と、容器本体１０に配置された仕切り部材３０とから構成され、仕切り部材３０が容器本体１０に配置された状態で複数本の歯間ブラシＢが収容されている。
【００１５】
容器本体１０は、コートボールを図２に示す展開図にしたがって打ち抜いた後、折り目に沿って折り込むとともに、所定部分を貼着して組み立てられる。
【００１６】
この容器本体１０は、図２の展開図において、底面板１１の左端縁に折り目ａを介して背面板１２が連設されるとともに、底面板１１の右端縁に正面板１３及び上面板１４が折り目ｂ，ｃを介して順に連設される一方、底面板１１の上下各端縁に左側面板１５及び右側面板１６が折り目ｄ，ｄを介して連設され、また、上面板１４の上下各端縁に外左側面板１７及び外右側面板１８が折り目ｅ，ｅを介して連設され、さらに、左右の側面板１５，１６の前後各端縁に糊代１９，１９が折り目ｆ，ｆを介して連設されて構成されている。
【００１７】
そして、容器本体１０の底面板１１には、後述するスリーブ２０に嵌挿した際のスリーブ２０における底面部２３の前端縁に対応して折り目ｇが形成され、また、左右の側面板１５，１６は、前述した底面板１１の折り目ｇに対応する位置から背面板１２側に向かって一定範囲にわたった切欠部１５ａ，１６ａが形成されて前後に分割されている。この場合、切欠部１５ａ，１６ａによって分割された左右の側面板１５，１６における前方側の側面板の後端縁は、後述するスリーブ２０の左右の側面部２７，２８の前端縁に対応して、底面板１１の折り目ｇと，底面板１１及び左右の側面板１５，１６の折り目ｄとの交点をそれぞれ始点として背面板１２側に向かって設定角度傾斜されている。また、左右の側面板１５，１６における後方側の側面板は、前方側の側面板に比較して、スリーブ２０に嵌挿されることに対応して若干高さが小さく設定されている。
【００１８】
さらに、上面板１４の上下各端縁に連設された左右の外側面板１７，１８は、左右の側面板１５，１６における前方側の側面板の外面側に重ね合わされるようにその寸法が設定されている。この場合、左右の外側面板１７，１８の先端縁は、左右の側面板１５，１６における前方側の側面板の後端縁を越えて若干後方に延出するようにその長さが設定されている。
【００１９】
一方、スリーブ２０も、コートボールを図３に示す展開図にしたがって打ち抜いた後、折り目に沿って折り込むとともに、所定部分を貼着して組み立てられる。
【００２０】
スリーブ２０は、図３の展開図において、上面部２１の右端縁に背面部２２及び底面部２３が折り目ｈ，ｉを介して順に連設される一方、上面部２１の左端縁に係止片２４が折り目ｊを介して連設され、また、上面部２１の上下各端縁に左外側面部２５及び右外側面部２６が折り目ｋ，ｋを介して連設されるとともに、底面部２３の上下各端縁に左側面部２７及び右側面部２８が折り目ｍ，ｍを介して連設され、さらに、左側面部２７の後端縁及び右側面部２８の後端縁に折り目ｎ，ｎを介して糊代２９が連設されて構成されている。
【００２１】
そして、底面部２３の上下各端縁に連設された左右の側面部２７，２８は、その前端縁が底面部２３の前端縁と、底面部２３及び左右の側面部２７，２８の折り目ｍ，ｍとの交点を始点として背面部２２側に向かって設定角度傾斜されている。また、上面部２１の上下各端縁に連設された左右の外側面部２５，２６は、その後端縁が上面部２１の後端縁を越えて後方に延出されるとともに、上面部２１及び係止片２４の折り目ｊと、上面部２１及び左右の外側面部２５，２６の折り目ｋ，ｋとの交点を始点として後方に向かって設定角度傾斜されている。
【００２２】
仕切り部材３０は、略容器本体１０の底面板１１の幅と略同幅で、その長さよりも若干短い大きさの平板部３１に歯間ブラシＢの幅に相当する間隔をおいて複数個の仕切り３２を立設して構成されている。この実施形態においては、プラスチックより形成したが、紙製であっても構わない。
【００２３】
次に、このように構成された容器本体１０の組立手順について説明する。
【００２４】
まず、図２の展開図にしたがってコートボールを打ち抜くとともに、裏面が上面を向くように反転させた後、左右の側面板１５，１６に対して各糊代１９を折り目ｆに沿って谷折りし、各糊代１９の表面に接着剤を塗布する。合わせて、左右の外側面板１７，１８の裏面に接着剤を塗布する。次いで、左右の側面板１５，１６を底面板１１に対してそれぞれ折り目ｄ，ｄに沿って谷折りするとともに、背面板１２を底面板１１に対して折り目ａに沿って谷折りし、左右の側面板１５，１６の後端縁に連設された糊代１９，１９に貼着する。同様に、正面板１３を底面板１１に対して折り目ｂに沿って谷折りし、左右の側面板１５，１６の前端縁に連設された糊代１９，１９に貼着する。この後、正面板１３に対して上面板１４を折り目ｃに沿って山折りするとともに、上面板１４に対して左右の外側面板１７，１８を折り目ｅ，ｅに沿って山折りし、左右の側面板１５，１６における前方側の側面板の表面に貼着し、容器本体１０を形成する。
【００２５】
この際、左右の側面板１５，１６における前方側の側面板の後端縁を左右の外側面板１７，１８の先端縁が僅かに越えて位置している（図５参照）。
【００２６】
この後、容器本体１０の底面板１１に仕切り部材３０を配置し、左右の側面板１５，１６における後方側の側面板と、仕切り部材３０の左右外方側の仕切り３２との間及び隣接する仕切り３２、３２間に歯間ブラシＢを配置する。
【００２７】
一方、スリーブ３０は、図３の展開図にしたがってコートボールを打ち抜くとともに、裏面が上面を向くように反転させた後、左右の外側面部２５，２６に対して各糊代２９を折り目ｎに沿って谷折りするとともに、各糊代２９の表面に接着剤を塗布する。また、底面部２３に対して左右の側面部２７，２８をそれぞれ折り目ｍに沿って谷折りするとともに、左右の側面部２７，２８の表面に接着剤を塗布する。次いで、上面部２１に対して左右の外側面部２５，２６を折り目ｋに沿って谷折りするとともに、背面部２２に対して上面部２１を折り目ｈに沿って谷折りし、背面部２２の裏面に糊代２９を貼着する。さらに、底面部２３に対して背面部２２を折り目ｉ沿って谷折りし、左右の側面部２７，２８の表面に左右の外側面部２５，２６の裏面を貼着し、スリーブ３０を形成する。
【００２８】
この際、左右の側面部２７，２８の前端縁が左右の外側面部２５，２６の前端縁を僅かに越えて位置している（図５参照）。
【００２９】
スリーブ２０が形成されたならば、スリーブ２０の前方側開口を通して、仕切り部材３０を介して複数本の歯間ブラシＢが収容された容器本体１０をその背面板１２側から嵌挿して設定距離押込んだ後、スリーブ２０の係止片２４を上面部２１に対して折り目ｊに沿って山折りし、次いで、容器本体１０をストロークエンドまで押込む。この際、容器本体１０の底面板１１に形成された折り目ｇは、スリーブ２０の底面部２３の前端縁に対応する位置にある。また、容器本体１０における左右の外側面板１７，１８の先端縁及び左右の側面板１５，１６における前方側の側面板の後端縁が、スリーブ２０の左右の外側面部２５，２６の前端縁及び左右の側面部２７，２８の前端縁にそれぞれ突き合わされるとともに、容器本体１０における左右の外側面板１７，１８の先端部内面と、スリーブ２０の左右の側面部２７，２８の前端部外面とが互いに重なり合っている。この後、詳細には図示しないが、フィルムで包装され、歯間ブラシＢの包装容器１として出荷される。
【００３０】
ところで、歯間ブラシＢの包装容器１を購入した消費者が歯間ブラシＢを使用する場合は、フィルムを剥離した後、スリーブ２０を把持した状態で、容器本体１０の左右の外側面板１７，１８を把持して引き出す。容器本体１０を引き出すことにより、背面板１２の上端部がスリーブ２０の係止片２４に干渉し、ストロークエンドに達したことを把握することができる。次いで、容器本体１０の左右の外側面板１７，１８を把持した状態において、折り目ｇに沿って下方に折り曲げれば、歯間ブラシＢの先端ブラシ部分を覆っていた容器本体１０の上面板１４が前方下方に回動して全ての歯間ブラシＢを露出させることから、任意の歯間ブラシＢを容易に取り出すことができる。この際、他の歯間ブラシＢは、容器本体１０の左右の側面部１５，１６及び仕切り部材３０の仕切り３２によって区画された空間に散乱することなく収容されている。
【００３１】
歯間ブラシＢの取り出しを終了すれば、スリーブ２０に対して容器本体１０を押し込んで収納する。この際、容器本体１０の底面板１１の折り目ｇがスリーブ２０の底面部２３の前端縁に対応する位置にある。一方、容器本体１０における左右の外側面板１７，１８の先端縁及び左右の側面板１５，１６における前方側の側面板の後端縁が、スリーブ２０の左右の外側面部２５，２６の前端縁及び左右の側面部２７，２８の前端縁にそれぞれ突き合わされる。これにより、スリーブ２０に対して容器本体１０が折り目ｇに沿って屈曲することなく支持される。
【００３２】
このように、スリーブ２０から容器本体１０を引き出して下方に折り曲げることで、複数本の歯間ブラシＢを周囲に散乱させることなく、任意の歯間ブラシＢを取り出して使用することができる。また、旅行等において、包装容器１を洗面バッグ等に収納して携行することもでき、旅先においても歯間ブラシＢによる歯の清掃を行なうことができる。
【符号の説明】
【００３３】
１  包装容器
１０  容器本体
１１  底面板
１２  背面板
１３  正面板
１４  上面板
１５，１６  側面板
１７，１８  外側面板
２０  スリーブ
２１  上面部
２２  背面部
２３  底面部
２４  係止片
２５，２６  外側面部
２７，２８  側面部
３０  仕切り部材
【図１】
0003171968.tif 000003
【図２】
0003171968.tif 000004
【図３】
0003171968.tif 000005
【図４】
0003171968.tif 000006
【図５】
0003171968.tif 000007
【図６】
0003171968.tif 000008